(57)【要約】【課題】  番組の予約が可能であることを容易に認識する。【解決手段】  テレビジョン放送を受信する受信手段と、前記受信手段の出力信号を用いて放送番組の画像データを生成する信号処理手段と、前記放送番組の画像を表示装置に表示する表示手段と、放送予定の番組の視聴予約のための番組予約情報を生成する予約情報生成手段とを備え、前記表示手段は、前記予約情報生成手段により生成された番組予約情報に係る放送予定番組の予告番組が前記受信手段により受信されたことに応じて、前記番組予約情報を前記表示装置に表示する。【選択図】  図５
2007288430.tif 000002
【特許請求の範囲】
【請求項１】
テレビジョン放送を受信する受信手段と、
前記受信手段の出力信号を用いて放送番組の画像データを生成する信号処理手段と、
前記放送番組の画像を表示装置に表示する表示手段と、
放送予定の番組の視聴予約のための番組予約情報を生成する予約情報生成手段とを備え、
前記表示手段は、前記予約情報生成手段により生成された番組予約情報に係る放送予定番組の予告番組が前記受信手段により受信されたことに応じて、前記番組予約情報を前記表示装置に表示する受信装置。
【請求項２】
前記放送番組の予約設定を指示する指示手段と、
前記指示手段の指示に応じて、指定された放送番組の受信を予約設定する設定手段とを備え、
前記設定手段は、前記表示手段による前記番組予約情報の表示中に前記指示手段による指示があった場合に、前記表示中の番組予約情報に係る放送番組の受信を予約設定することを特徴とする請求項１記載の受信装置。
【請求項３】
前記表示手段は、前記番組予約情報を予め決められた期間表示した後、表示を停止することを特徴とする請求項２記載の受信装置。
【請求項４】
前記番組予約情報を記憶する記憶手段を備え、前記表示手段は、前記番組予約情報を表示していないときに前記番組予約情報の表示指示があった場合に、前記記憶手段より前記番組予約情報を読み出して表示することを特徴とする請求項３記載の受信装置。
【請求項５】
前記設定手段は、前記指示手段による前記番組予約情報に係る放送予定番組の予約設定指示があったことに応じて、前記記憶手段より前記番組予約情報を削除することを特徴とする請求項４記載の受信装置。
【請求項６】
前記記憶手段は、複数の放送予定番組に係る前記番組予約情報を記憶可能であり、前記表示手段は前記複数の放送予定番組に係る番組予約情報を表示することを特徴とする請求項４記載の受信装置。
【請求項７】
前記指示手段は、前記複数の放送予定番組より任意に選択した番組の予約設定を行い、前記設定手段は、前記指示手段による放送予定番組の予約設定指示があったことに応じて、前記記憶手段に記憶された複数の番組予約情報のうち、前記指示された前記番組予約情報を削除することを特徴とする請求項６記載の受信装置。
【請求項８】
前記予約情報生成手段は、前記予告番組と共に送信され、前記放送予定番組の放送日時、チャンネル及び番組名を示す予告情報を用いて前記番組予約情報を生成することを特徴とする請求項１記載の受信装置。
【請求項９】
前記予約情報生成手段は、前記予告情報に係る放送予定番組が、前記設定手段により既に予約設定されていた場合には、前記予告情報に係る予約設定情報の生成を禁止することを特徴とする請求項８記載の受信装置。
【請求項１０】
前記表示手段は、前記予告番組の画像と前記番組予約情報とを多重して前記表示装置に表示することを特徴とする請求項１記載の受信装置。
【請求項１１】
テレビジョン放送を受信する受信手段と、
前記受信手段の出力信号を用いて放送番組の画像データを生成する信号処理手段と、
前記放送番組の画像を表示装置に表示する表示手段と、
放送予定の番組の視聴予約のための番組予約情報を生成する予約情報生成手段と、
表示部を有するリモートコントローラとの間で通信を行う通信手段とを備え、
前記通信手段は、前記予約情報生成手段により生成された番組予約情報に係る放送予定番組の予告番組が前記受信手段により受信されたことに応じて、前記番組予約情報を前記表示部にて表示すべく前記リモートコントローラに対して前記番組予約情報を送信する受信装置。
【請求項１２】
請求項１１に記載の受信装置を制御するリモートコントローラであって、
前記受信装置との間で通信するための通信部と、
前記通信部が番組予約情報を受信したことに応じて、前記番組予約情報を表示する表示部と、
前記表示部に表示された番組予約情報に係る放送番組の予約設定を指示する指示部とを備え、前記通信部は前記指示部による指示に応じて前記番組予約情報に係る放送番組の予約設定命令を前記受信装置に送信することを特徴とするリモートコントローラ。
【請求項１３】
前記表示部は、前記番組予約情報を予め決められた期間表示した後、表示を停止することを特徴とする請求項１２記載のリモートコントローラ。
【請求項１４】
複数の放送予定番組に係る前記番組予約情報を記憶可能な記憶部を備え、前記表示部は前記複数の放送予定番組に係る番組予約情報を表示し、前記指示部は、前記複数の放送予定番組より任意に選択した番組の予約設定を行い、前記記憶部は、前記指示部による放送予定番組の予約設定指示があったことに応じて、前記記憶された複数の番組予約情報のうち、前記指示された前記番組予約情報を削除することを特徴とする請求項１２記載のリモートコントローラ。
【発明の詳細な説明】
【技術分野】
【０００１】
本発明は受信装置に関し、特に、テレビ放送を受信する装置に関する。
【背景技術】
【０００２】
近年、テレビジョン放送のデジタル化が急速に進められている。
【０００３】
テレビ放送をデジタル化することにより、アナログ信号よりも放送帯域を効率よく利用でき、高画質化・高音質化を図ることができる。
【０００４】
また、デジタルデータは映像や音声以外のデータとの親和性が高い。
【０００５】
例えば、デジタルテレビ放送では、放送番組のデータに加え、電子番組ガイド（ＥＰＧ）情報や、データ放送など各種の情報を多重して放送している。これにより、ユーザ（視聴者）のサービスを向上させることができる。
【０００６】
また、最近では、ハードディスクやＤＶＤ（デジタル多用途ディスク）などの大容量ストレージに対してテレビ放送番組を記録するディスクレコーダが普及している。
【０００７】
これらのディスクレコーダでは、放送番組に多重されているＥＰＧ情報を用いて番組表を表示し、ユーザはこの番組表を利用して録画予約が可能となっている（例えば、特許文献１参照）。
【特許文献１】特開２００５−２４４６６０
【発明の開示】
【発明が解決しようとする課題】
【０００８】
例えば、現在放送中の番組を視聴している際に、将来放送予定である他の番組の予告番組（コマーシャル）が放送され、ユーザがこの放送予定の番組を録画予約する場合を考える。
【０００９】
この場合、ユーザは、この放送予定の番組の番組名や放送日、チャンネルを記憶しておき、さらに視聴を中断して番組表を表示した後、番組表から目的の番組を検索して録画予約する必要があった。
【００１０】
本発明はこの様な問題を解決し、放送番組の視聴を中断することなく、放送予定の番組を簡単に予約可能とすることを目的とする。
【課題を解決するための手段】
【００１１】
本発明においては、テレビジョン放送を受信する受信手段と、前記受信手段の出力信号を用いて放送番組の画像データを生成する信号処理手段と、前記放送番組の画像を表示装置に表示する表示手段と、放送予定の番組の視聴予約のための番組予約情報を生成する予約情報生成手段とを備え、前記表示手段は、前記予約情報生成手段により生成された番組予約情報に係る放送予定番組の予告番組が前記受信手段により受信されたことに応じて、前記番組予約情報を前記表示装置に表示する構成とした。
【発明の効果】
【００１２】
本発明によれば、放送予定の番組の予約が可能であることを容易に認識することができ、簡単に予約設定ができる。
【発明を実施するための最良の形態】
【００１３】
（第一の実施形態）
以下、添付図面に従って本発明にかかる実施形態を詳細に説明する。
【００１４】
図４は、本発明を適用したテレビ放送の受信システムの構成を示す図である。図４において、１００はテレビ放送を送信する放送局、２００はテレビ放送を受信する受信機、３００は受信機２００を操作するためのリモートコントローラ（以下リモコン）である。
【００１５】
＜放送局＞
まず、放送局１００の構成について説明する。
【００１６】
図１には、放送局１００において、放送コンテンツを送出するためのシステム構成を模式的に示している。
【００１７】
図１において、番組制作部１０１は、放送番組に関連するコンテンツを製作する現場に相当する。番組制作部１０１では放送番組の映像・音声コンテンツや、字幕情報、ＥＰＧやデジタル放送用の付加情報を製作する。本実施形態においては、この番組制作部１０１により、将来放送予定の番組の予告番組が作成される。そして、この予告番組の放送予定日時やチャンネル、番組名の情報を付加情報として生成する。
【００１８】
番組制作部１０１により生成された、ＥＰＧやデータ放送などのデジタル放送用の付加情報は付加データ処理部１０２により放送に適した形態の情報に変換され、マルチメディア符号化部１０３に送られる。マルチメディア符号化部１０３では、これら付加情報を決められた符号化方式で符号化し、付加データ伝送処理部１０４に出力する。付加データ伝送処理部１０４は、符号化された付加情報をＭＰＥＧ２−ＴＳなど、送信用のストリームに従う形態に変換し、合成部１０９に送る。
【００１９】
また、番組作成部１０１により生成された放送番組の画像、映像データはＡＶ処理部１０５に送られ、符号化方式に適した形態に変換される。ＡＶエンコーダ１０６は、ＡＶ処理部１０５からの画像、音声データを決められた符号化方式で符号化し、ＡＶデータ伝送処理部１０７に送る。
【００２０】
また、字幕処理部１０８は、放送番組の画像と多重して表示するための字幕情報を放送形態に適した形態に変換した後、符号化し、ＡＶデータ伝送処理部１０７に送る。
【００２１】
ＡＶデータ伝送処理部１０７は、符号化された画像、音声データ及び字幕データを、送信用のストリームに従う形式に変換し、合成部１０９に送る。
【００２２】
合成部１０９は、送信制御部１１０からの送信タイミングに従い、ＡＶデータ伝送処理部１０７からの画像、音声、字幕データと、付加データ伝送処理部１０４からの付加情報とを多重して送信用のストリームを生成する。送信部１１１は合成部１０９から出力された放送用ストリームを変調し、放送波に重畳して送信する。
【００２３】
送信制御部１１０は、決められた放送スケジュールに従い、画像、音声、字幕データやデータ放送用のデータを送信すると共に、決められたタイミングでＥＰＧデータを送信するよう、合成部１０９を制御する。
【００２４】
＜受信機＞
次に、受信機２００の構成について説明する。
【００２５】
図２は、受信機２００の構成を示す図である。
【００２６】
図２において、アンテナ２０１はテレビ放送波を受信し、チューナ２０２に送る。なお、本実施形態では、放送波は有線放送、衛星放送、地上波など特に限定されない。チューナ２０１は、アンテナ２０１の出力から、指定されたチャンネルの信号を検出し、復調すると共に、データストリームに変換し、バス２１５を介してＴＳデコーダ２０３に送る。
【００２７】
本実施形態では、放送局から送信されたデータストリームは、ＭＰＥＧ２−ＴＳの形式である。ＴＳデコーダ２０３は、受信されたデータストリームを、放送番組の画像、音声、字幕データ、ＥＰＧデータ、データ放送用のデータ、その他の付加情報データに分離する。
【００２８】
そして、ＴＳデコーダ２０３は、画像、音声、字幕データ及びデータ放送用データをＡＶデコーダ２０３に送り、その他の付加情報をＣＰＵ２０９に送る。
【００２９】
ＡＶデコーダ２０４は、ＭＰＥＧ２方式で符号化された画像、音声データをそれぞれデコードする。そして、画像データと字幕データを表示制御部２０５に出力し、音声データを音声出力部２０７に出力する。表示制御部２０５は、ＡＶデコーダ２０４からの画像データを表示に適した形態に変換し、表示部２０６に表示する。また、音声出力部２０７は、ＡＶデコーダ２０３からの音声データをスピーカ２０８より出力する。
【００３０】
ＲＯＭ２０９には制御用プログラムが格納されている。ＣＰＵ２１１は電源投入時にＲＯＭ２０９のプログラムをロードして実行する。ＲＡＭ２１０はＣＰＵ２１１の実行プログラムをロードし、実行プログラムの作業データを読み書きするために用いられる。
【００３１】
ＣＰＵ２１１は、受信機全体を制御するため、演算処理行ったり、読み書き命令を行ったりする中央処理装置である。
【００３２】
また、ＣＰＵ２１１は、ＴＳデコーダ２０３からのＥＰＧデータを受け、ユーザが番組表の表示を指示した場合に、表示制御部２０５を制御して、表示部２０６に対して番組表を表示させる。
【００３３】
ユーザは、リモコン３００を操作することによりこの番組表を利用して公知の方法で番組の視聴予約、或いは録画予約を行うことが可能である。そして、ＣＰＵ２１１は、ＥＰＧデータを利用して、予約設定された放送番組の放送日時やチャンネル、番組名などの予約設定情報をＲＡＭ２１０に保存する。
【００３４】
また、ＣＰＵ２１１は、ＴＳデコーダ２０３からのデータ放送用データを受けて、表示制御部２０５を制御し、ユーザからデータ放送の表示指示があった場合に、データ放送画面を表示させる。
【００３５】
記録制御部２１２は、ハードディスク装置２１３にＡＶデータや番組に関連する情報を記録したり、読み出したりするための制御部である。ＷＬＡＮ制御部２１４は、不図示のワイヤレスＬＡＮ経由で外部機器と接続するための制御部であり、外部機器と通信を行う。ユーザーインターフェース制御部２１５は、リモコン３００からの送信コマンドを受信する受信器を有し、リモコン３００からの命令や、本体からのＫＥＹ情報を受信して処理を行うための制御部である。ＬＥＤ制御部２１６はＣＰＵ２１１からの指示を受けて、ＬＥＤ２１７の点灯または消灯の制御を行う。
【００３６】
本実施形態では、ＴＳデコーダ２０３により得られた画像データや音声データを、ＭＰＥＧ２のストリームの状態で記録することができる。
【００３７】
即ち、ＣＰＵ２１１は、リモコン３００より記録の指示があったことをＵＩ制御部２１５から知らされると、記録制御部２１２を制御して、ＡＶデコーダ２０４からの画像、音声データをＨＤＤ２１３に記録する。
【００３８】
また、ＣＰＵ２１１は、リモコン３００より再生の指示があった場合、ＨＤＤ２１３に記録された画像、音声データをＡＶデコーダ２０４に送信し、ＡＶデコーダ２０４は再生画像、音声データを復号する。
【００３９】
復号された画像は表示部２０６に表示され、音声がスピーカ２０８より出力される。
【００４０】
また、ＣＰＵ２１１は、ＲＡＭ２１０に保存された録画予約情報に基づき、設定された日時になると、チューナ２０２を制御して指定されたチャンネルのデータを受信すると共に、受信された番組の画像、音声データをＨＤＤ２１３に記録する。
【００４１】
＜リモートコントローラ＞
次に、リモコン３００について説明する。図３はリモコン３００の構成を示す図である。
【００４２】
図３において、ユーザーインターフェース制御部３０１は受信機２００に対してコマンドを送信する送信部を有し、キー受信部３０５より受けたキー情報に基づき、ＣＰＵ３０６により指示された信号を受信機２００に送信する。
【００４３】
表示制御部３０２は、ＣＰＵ３０９により指示された所定の画像を表示部３０３に表示する。ＷＬＡＮ３０４はワイヤレスＬＡＮ規格に基づき、ネットワーク接続するための制御部である。キー受信部３０５は、操作キー３０６によりキー操作の状態を検出し、キー情報としてＣＰＵ３０６に通知するためのモジュールである。
【００４４】
ＲＯＭ３０７は、リモコン３００用の制御用プログラムを格納しており、この制御プログラムが電源投入時にロードされて実行される。ＲＡＭ３０８はＣＰＵ３０９の実行プログラムをロードし、実行プログラムの作業データを読み書きするために用いられる。
【００４５】
ＣＰＵ３０９は、リモコン３００を制御するため、演算処理行ったり、読み書き命令を行ったりする中央処理装置である。ＬＥＤ制御部３１０はＣＰＵ３０９からの指示を受けて、ＬＥＤ３１１の点灯または消灯の制御を行う。３１２はデータバスである。
【００４６】
操作キー３０６は、電源キーやチャンネル切替キー、音量キー、カーソル移動のための十字キー、操作を決定するための決定キーなどを有する。また、本実施形態では、特に、予約実行キー３０６ａを備えている。この予約実行キーの処理については後述する。
【００４７】
次に、図２の受信機２００にて放送番組を受信中において、予告番組（コマーシャル（ＣＭ）、宣伝用番組）を受信した際の処理について説明する。
【００４８】
前述の様に、図１の放送局では、通常の放送番組の途中に、将来放送する予定の放送番組の予告（ＣＭ）番組を挿入して放送している。そして、この予告番組には、通常の番組用の画像、音声データに加え、この予告番組に係る放送番組の放送日時、チャンネル、番組名の情報が付加情報（予告情報）として多重されて送信される。
【００４９】
本実施形態では、この様に、予告番組に付加された予告情報を使って録画予約可能であることを知らせる構成である。
【００５０】
図５は受信機２００が番組の予告情報を受信した際の動作を示すフローチャートである。図５の処理は、主にＣＰＵ２１１によって実現される。
【００５１】
ＣＰＵ２１１は、ＴＳデコーダ２０３からの付加情報を監視し、放送予定番組の予告番組に係る予告情報を受信すると、図５のフローが開始する。
【００５２】
まず、ＴＳデコーダ２０３からの付加情報から、この予告番組に係る放送番組の放送日時、チャンネル、番組名を含む予告情報を検出する。そして、前述の如くＲＡＭ２１０に保存されている予約設定済みの番組の情報と、検出された予告情報とを比較し、この予告番組に係る放送番組が既に予約設定されているか否かを判別する（Ｓ５０１）。予約設定されていた場合にはそのまま終了する。
【００５３】
一方、予約設定されていなかった場合、検出した付加情報に基づき、番組名、放送日時、チャンネルを含む番組予約情報を生成し（Ｓ５０２）、ＲＡＭ２１０に予約可能リストとして保存する（Ｓ５０３）。
【００５４】
この予約可能リストは、例えば、図７に示すような形態である。新たに生成された予約情報を番組予約可能リストの一番先頭に配置する。また、複数の予告番組が連続して受信され、番組予約情報を続けて生成した場合には、それらを全てＲＡＭ２１０に保存する。
【００５５】
次に、ユーザに番組予約可能な情報があることを通知するため、ＬＥＤ制御部２１６を制御してＬＥＤ２１７を点灯する。図６は受信機２００の様子を示している。ＬＥＤ２１７は、表示部２０６の下側に設置されている。
【００５６】
そして、予告番組に係る放送番組の放送日時、チャンネル、番組名などを示す番組予約情報を表示制御部２０５に送る。表示制御部２０５は、受信中の予告番組の画像データと番組予約情報とを多重して、図６に示すように表示する（Ｓ５０４）。図６において、６０１は番組予約情報である。
【００５７】
この様に、本実施形態では、予告番組を受信すると、この予告番組の画像と同期して番組予約情報を表示する。
【００５８】
この様に番組予約情報を表示した後、リモコン３００からの予約命令が実行されるの待つ（Ｓ５０６）。ユーザは、リモコン３００の予約実行キー３０６ａを操作することで、予約実行を指示することができる。予約命令が無い場合、所定期間（数十秒から１分程度）経過するのを待ち、その間予約命令が無い場合、Ｓ５０９に移行する。
【００５９】
また、予約命令を受信すると、予約可能リストの一番先頭の番組の録画予約を実行し（Ｓ５０７）、表示制御部２０５を制御して、図８に示すように、予約完了を示す情報を表示部２０６に表示する。７０１は予約完了を示す情報である。また、予約が完了すると、ＲＡＭ２１０に保存した予約可能リストのうち、予約設定した番組の番組予約情報を削除する。
【００６０】
次に、ＲＡＭ２１０に他の予告情報が保存されているか否かを判別する（Ｓ５０９）。他の予告情報が保存されていた場合、Ｓ５０１に戻る。また、他の予告情報が無い場合には、ＬＥＤ２１７を消灯して処理を終了する（Ｓ５１０）。
【００６１】
ユーザは、この様な処理により、視聴している放送番組中に、将来放送予定の番組の予告番組が挿入されていた場合に、その予告番組に係る放送番組を簡単な操作で録画予約することができる。
【００６２】
なお、図５の処理では、Ｓ５１１で一定時間経過すると、予約が実行できなくなってしまう。そこで、本実施形態では、Ｓ５１０でＬＥＤ２１７が消灯した後も、ＲＡＭ２１０に保存された予約可能リストを利用して予約設定できるようにした。
【００６３】
図９は、予約可能リストを利用した予約設定処理を示すフローチャートである。なお、図９の処理も、ＣＰＵ２１１により実現される。
【００６４】
ユーザがリモコン３００の予約実行キー３６ａを操作すると、ＵＩ制御部２１５はキー操作があったことを検出し、ＣＰＵ２１１に知らせる。ＣＰＵ２１１が予約実行キー３０６ａの操作を検出すると、図９のフローが開始する。ユーザは任意のタイミングで予約実行キー３０６ａを操作して図９の処理を開始することができる。
【００６５】
図９において、ＣＰＵ２１１は、まず、ＲＡＭ２１０に保存されている予約可能リストを読み出し、図１０に示す予約画面を表示部２０６に表示する（Ｓ９０１）。図１０において、１００１は予約可能リストであり、予約可能リスト１００１の中で現在選択されている番組が、選択タブ１００２で選択されている。また、現在視聴中の番組が１００３である。
【００６６】
そして、リモコン３００のキー操作を待つ。移動キーの操作を検出した場合（Ｓ９０２）、選択タブ１００２を上または下に移動する（Ｓ９０５）。また、決定キーが操作された場合（Ｓ９０３）、現在選択している番組の予約を実行する（Ｓ９０６）。また、キャンセルキーが操作された場合、予約可能リストを表示画面から消して、処理を終了する（Ｓ９０４）。
【００６７】
この様に、本実施形態では、将来放送予定の番組に関する予告番組と共に送信された予告情報を元に、予約設定のための番組予約情報を生成し、予告番組と同期して表示している。
【００６８】
そして、ユーザからの予約設定指示に応じて、この予告番組に係る番組の録画予約を行う。
【００６９】
そのため、ユーザは、現在視聴中の放送番組の視聴を中断することなく、予告番組に係る放送番組の予約を行うことができる。
【００７０】
なお、本実施形態では、録画予約に限らず視聴予約にも使用可能である。また、本実施形態においては、受信した放送番組中の予告番組に付加された予告情報用いて番組予約情報を生成したが、例えば、ＷＬＡＮ２１４など、テレビ放送とは異なる手段により予告情報を得ることも可能である。
【００７１】
また、本実施形態では、番組予約情報を表示した際、ＬＥＤを点灯させたが、ＬＥＤ以外の点灯機器を用いることも可能である。
【００７２】
（第二の実施形態）
第一の実施形態では、予告情報を生成し、受信機２００のディスプレイ２０６に表示していたが、本実施形態では、リモコン３００の表示部に予告情報を表示する。なお、本実施形態においても、テレビ放送の放送局、受信機、及びリモコンからなるシステムの構成は第一の実施形態と同様である。また、受信機２００の基本的な構成、並びに動作は第一の実施形態と同様であるが、予告番組に係る付加情報を受信した際の処理が第一の実施形態とは異なる。また、リモコン３００において、予約実行キー３０６ａにＬＥＤ３１１されている。
【００７３】
図１１は受信機２００が番組の予告情報を受信した際の動作を示すフローチャートである。図１１の処理は、主にＣＰＵ２１１によって実現される。
【００７４】
ＣＰＵ２１１は、ＴＳデコーダ２０３からの付加情報を監視し、放送予定番組の予告番組に係る予告情報を受信すると、図１１のフローが開始する。
【００７５】
まず、ＴＳデコーダ２０３からの付加情報から、この予告番組に係る放送番組の放送日時、チャンネル、番組名を含む予告情報を検出する。そして、ＲＡＭ２１０に保存されている予約設定情報と、検出された予告情報とを比較し、この予告番組に係る放送番組が既に予約設定されているか否かを判別する（Ｓ１１０１）。予約設定されていた場合にはそのまま終了する。
【００７６】
一方、予約設定されていなかった場合、検出した付加情報に基づき、番組名、放送日時、チャンネルを含む番組予約情報を生成する（Ｓ１１０２）。そして、生成した予約情報が既に予約可能リストに載っているものであるかどうかを判断する（Ｓ１１０３）。この予約可能リストは、例えば、図７に示すような形態である。登録済みであった場合、過去に登録されていた同じ番組の番組予約情報をリストから削除し、新たに今回生成した番組予約情報をリストに登録することで、予約可能リストを更新して保存する（Ｓ１１０４、Ｓ１１０５）。
【００７７】
また、今回初めて生成した番組予約情報であった場合、新しい番組予約情報として予約可能リストの先頭に登録する（Ｓ１１０５）。
【００７８】
そして、ＷＬＡＮ２１４により、予約可能リストに登録されている番組の番組予約情報をリモコン３００に送信する。
【００７９】
なお、送信の形態は様々な形態が考えられ、ここでは特に限定するものではなく、様々な通信手段で実現可能であることからここでは説明を割愛する。また、番組予約情報とは、少なくとも放送予定の番組に関するタイトル・日時・チャンネル情報を有する情報である。
【００８０】
次に、この様に送信された番組予約情報を受信した場合のリモコン３００の動作を図１２のフローチャートを用いて説明する。
【００８１】
リモコン３００のＷＬＡＮ３０４が、前述の如く受信機２００から送信された番組予約情報を受信すると、図１２のフローがスタートする。
【００８２】
まず、受信した予約情報が既に予約可能リストに載っているものであるかどうかを判断する（Ｓ１２０１）。この予約可能リストは、例えば、図７に示すような形態である。登録済みであった場合、過去に登録されていた同じ番組の番組予約情報をリストから削除し、新たに今回生成した番組予約情報をリストに登録することで、予約可能リストを更新して保存する（Ｓ１２０２、Ｓ１２０３）。
【００８３】
また、今回初めて受信した番組予約情報であった場合、新しい番組予約情報として予約可能リストの先頭に登録する（Ｓ１２０３）。
【００８４】
そして、ＬＥＤ制御部３１０を介して、予約実行キー３０６ａに内蔵されている、ＬＥＤ３１１を点灯させる（Ｓ１２０４）。次に、表示制御部３０２を介して、表示部３０３に対し、図１３に示した予約可能な放送番組を示す番組予約情報を表示する（Ｓ１２０５）。
【００８５】
図１３はリモコン３００の外観を示す図である。表示部３０３に予約可能な番組の情報の一覧が表示される。ユーザは、移動キーと決定キー１３０１を操作することで、予約設定すべき番組を選択することができる。また、３０６は各種の操作キーである。
【００８６】
図１３の如く番組情報の一覧を表示した後、キー操作を検出する（Ｓ１２０６）。ユーザは、リモコン３００の移動キーを操作することで、選択候補を移動することができる。そこで、移動キーの操作があった場合（Ｓ１２０７）、移動方向に従い、選択候補を移動する（Ｓ１２０８）。また、決定キーの操作があった場合（Ｓ１２０９）、その時点で選択中の番組の予約実行命令をＷＬＡＮ３０４により受信機２００に送信する（Ｓ１２１０）。そして、ＷＬＡＮ３０４により、受信機２００より予約完了の情報を受けると、予約可能リストに代えてこれを表示部３０３に表示し（Ｓ１２１１）、予約可能リストから、今予約実行した番組を消去し、リストを更新する（１２１２）。
【００８７】
また、予約可能番組のリスト表示後、キー操作が無く、所定期間（数十秒から１分程度）経過すと（Ｓ１２１５）、リストの表示を停止し（Ｓ１２１６）、ＬＥＤ３１１を消灯する（Ｓ１２１３）。また、キャンセルキーが操作された場合も（Ｓ１２１４）、同様に予約可能番組リストを消去する。
【００８８】
次に、リモコン３００から番組予約命令を受けた際の受信機２００の処理を図１４のブローチャートを用いて説明する。
【００８９】
ＷＬＡＮ２１４がリモコン３００からの予約命令を受けると、予約実行命令に従い予約を実行する（Ｓ１４０１）。なお、本実施形態では、リモコン３００からは、予約可能リストの番号のみが送信される。ここでは、ＲＡＭ２１０に保存してある予約可能リストから、指定された番号の番組情報を検出し、予約設定を行う。
【００９０】
予約が完了した後、表示部２０６に図８に示した予約完了画面を表示する（Ｓ１４０２）。次に、予約済みの番組を予約可能リストから削除し、予約可能リストを更新する（Ｓ１４０３）。そして、予約が完了したことをリモコン３００に通知するため、ＷＬＡＮ２１４により、リモコン３００に対して、予約完了の通知を送信する（Ｓ１４０４）。
【００９１】
以上説明した様に、本実施形態では、将来放送予定の番組に関する予告番組と共に送信された予告情報を元に、予約設定のための番組予約情報を生成し、リモコンに送信して表示している。
【００９２】
そして、ユーザからの予約設定指示に応じて、この予告番組に係る番組の録画予約を行う。
【００９３】
そのため、ユーザは、現在視聴中の放送番組の視聴を中断することなく、予告番組に係る放送番組の予約を行うことができる。
【図面の簡単な説明】
【００９４】
【図１】本発明の実施形態に係る放送局の構成を示す図である。
【図２】実施形態に係るテレビ受信機の構成を示す図である。
【図３】実施形態に係るリモートコントローラの構成を示す図である。
【図４】実施形態に係る受信システムの構成を示す図である。
【図５】受信機の処理を示すフローチャートである。
【図６】受信機の表示画面を示す図である。
【図７】予約可能リストの一例を示した図である。
【図８】受信機の表示画面を示した図である。
【図９】受信機の予約設定処理を示すフローチャートである。
【図１０】受信機の表示画面を示す図である。
【図１１】本発明の第二の実施形態における受信機の処理を示すフローチャートである。
【図１２】リモートコントローラの処理を示すフローチャートである。
【図１３】リモートコントローラの外観図である。
【図１４】受信機の処理を示すフローチャートである。
【図１】
2007288430.tif 000003
【図２】
2007288430.tif 000004
【図３】
2007288430.tif 000005
【図４】
2007288430.tif 000006
【図５】
2007288430.tif 000007
【図６】
2007288430.tif 000008
【図７】
2007288430.tif 000009
【図８】
2007288430.tif 000010
【図９】
2007288430.tif 000011
【図１０】
2007288430.tif 000012
【図１１】
2007288430.tif 000013
【図１２】
2007288430.tif 000014
【図１３】
2007288430.tif 000015
【図１４】
2007288430.tif 000016